(57)【要約】【課題】  紙容器本体から口栓を容易に取り外すことができる口栓付紙容器を得る。【解決手段】  側面トップシール縦折線２７を山折りして第１トップシールパネル２０，２１及び第２トップシールパネル２３，２４の対向面を貼り合わせて頂部１２を封止し、傾斜罫線２５，２６を山折りして側面パネル１７，１８から略三角形状のフラップ３１，３２を形成し、フラップ３１，３２を筒状胴部４の左右の側面に折り重ねて平坦な頂部１２が形成され、胴部正面パネル８に連接する頂面パネル１４にキャップ２ａとスパウト２ｂからなる口栓２のスパウト２ｂが接着された口栓付紙容器であって、口栓２が接着された頂面パネル１４及び頂面パネル１４の左右にある一対の側面パネル１７，１８に、口栓２が接着された頂面パネル１４を横切り、一対の側面パネル１７，１８の中央まで延びる折り曲げ誘導罫線２９を、口栓２を跨ぐように設けた。【選択図】図１
2020158132.tif 000002
【特許請求の範囲】
【請求項１】
四角の筒状胴部を形成するところの胴部縦折線を介して連接している胴部正面パネルと胴部左右側面パネルと胴部背面パネルとを有し、頂部を形成するところの前記胴部正面パネル及び前記胴部背面パネルに第１頂部横折線を介して連接する一対の頂面パネルと、前記胴部左右側面パネルに第２頂部横折線を介して連接する一対の側面パネルと、前記一対の頂面パネルに第１トップシール横折線を介して連接する一対の第１トップシールパネルと、前記一対の側面パネルに第２トップシール横折線を介して連接する一対の第２トップシールパネルとを有し、前記一対の側面パネルには前記第２トップシールパネル横折線の中点から前記第２頂部横折線の両端を結ぶ傾斜罫線が形成され、前記第２トップシールパネルには前記第２トップシールパネルの上端から垂下して前記第２トップシールパネル横折線の中点に至る側面トップシール縦折線が形成されたカートンブランクスから成形され、前記側面トップシール縦折線を山折りして第１トップシールパネル及び第２トップシールパネルの対向面を貼り合わせて頂部を封止し、前記傾斜罫線を山折りして前記側面パネルから略三角形状のフラップを形成し、前記フラップを前記筒状胴部の左右の側面に折り重ねて平坦な頂部が形成され、前記胴部正面パネルに連接する頂面パネルにキャップとスパウトからなる口栓のスパウトが接着された口栓付紙容器であって、
前記口栓が接着された頂面パネル及び前記頂面パネルの左右にある前記一対の側面パネルには、前記口栓が接着された頂面パネルを横切り、前記一対の側面パネルの中央まで延びる折り曲げ誘導罫線が前記口栓を跨ぐように設けられていることを特徴とする口栓付紙容器。
【請求項２】
前記一対の側面パネル及び前記一対の側面パネルが連接する前記胴部左右側面パネルには、前記口栓が接着された頂面パネルから前記一対の側面パネルの中程まで延びた前記折り曲げ誘導罫線の端部から垂下して前記第２頂部横折線を跨いで胴部左右側面パネルまで延びる折り曲げ誘導補助罫線が設けられていることを特徴とする請求項１に記載の口栓付紙容器。
【請求項３】
前記折り曲げ誘導罫線は前記口栓を、前記スパウトの下端から上方に向かって前記スパウトの上下長さの１／４〜１／３の範囲内の位置で跨いでいることを特徴とする請求項１または２に記載の口栓付紙容器。
【発明の詳細な説明】
【技術分野】
【０００１】
本発明は、牛乳やジュース等の液体飲料、液体洗剤、ゼリーやクリームなどの粘稠物、果実片等の固形状の食物をミックスした液体飲料などの液状物を収容するフラットトップ型頂部を有する口栓付紙容器である。
【背景技術】
【０００２】
液体を収容する紙容器として、紙容器本体の頂部にプラスチック製の口栓を溶着して設けた口栓付紙容器が広く用いられている。このような口栓付紙容器は、環境保全や資源の再利用のため、使用後には紙容器本体と口栓とに分別して収集するといったことが行われている。
【０００３】
しかし、プラスチック製の口栓が紙容器本体の頂部に溶着して設けられている場合、素手で紙容器本体の頂部から口栓を取り外すことは困難である。そのため、ハサミやカッターナイフ等で口栓の周囲を切断して口栓を切り取るといったことが行われているが、誤って怪我をするおそれがあり、安全性に欠ける。
【０００４】
そこで、紙容器本体から口栓をハサミやカッターナイフ等を使用することなく、取り外すことができるようにしたものとして、口栓を設けた頂面と頂面に横折線を介して連接する胴部に、頂面に設けた口栓の左右中央下方近傍位置より横折線と交差して頂面と胴部に跨がる縦罫線を設け、口栓の下方の頂面を指で押圧して、押圧部分に縦罫線の作用による凹部を形成し、口栓のスパウトの下面を頂面から一部剥離させ、この剥離部をきっかけとして口栓を頂面から剥離させ、紙容器本体から口栓を取り外すようにした口栓付紙容器が開示されている（例えば特許文献１参照。）。
【先行技術文献】
【特許文献】
【０００５】
【特許文献１】特開２００１−３１５７７０号公報
【発明の概要】
【発明が解決しようとする課題】
【０００６】
特許文献１に記載されている口栓付紙容器によれば、紙容器本体からの口栓の取り外しは、口栓の下方の頂面を指で押圧して、押圧部分に縦罫線の作用による凹部を形成し、口栓のスパウトの下面を頂面から一部剥離させ、口栓取り外しのきっかけとしている。
しかしながら、横折線と交差して頂面と胴部に跨がる縦罫線は短く、しかも指による押圧力を受けて作用するのは、横折線と交差して頂面と胴部に跨がる縦罫線だけなので、凹部を形成させる作用を縦罫線に与えるためには大きい押圧力が必要となる。このため力の弱い、例えば老人や女性には口栓の下方の頂面を凹ませ紙容器本体から口栓を取り外すことは困難であるといった問題がある。
【０００７】
本発明の目的は、紙容器本体から口栓を容易に取り外すことができるようにした口栓付紙容器を提供することにある。
【課題を解決するための手段】
【０００８】
上記の目的を達成するために、請求項１に記載の発明は、四角の筒状胴部を形成するところの胴部縦折線を介して連接している胴部正面パネルと胴部左右側面パネルと胴部背面パネルとを有し、頂部を形成するところの前記胴部正面パネル及び前記胴部背面パネルに第１頂部横折線を介して連接する一対の頂面パネルと、前記胴部左右側面パネルに第２頂部横折線を介して連接する一対の側面パネルと、前記一対の頂面パネルに第１トップシール横折線を介して連接する一対の第１トップシールパネルと、前記一対の側面パネルに第２トップシール横折線を介して連接する一対の第２トップシールパネルとを有し、前記一対の側面パネルには前記第２トップシールパネル横折線の中点から前記第２頂部横折線の両端を結ぶ傾斜罫線が形成され、前記第２トップシールパネルには前記第２トップシールパネルの上端から垂下して前記第２トップシールパネル横折線の中点に至る側面トップシール縦折線が形成されたカートンブランクスから成形され、前記側面トップシール縦折線を山折りして第１トップシールパネル及び第２トップシールパネルの対向面を貼り合わせて頂部を封止し、前記傾斜罫線を山折りして前記側面パネルから略三角形状のフラップを形成し、前記フラップを前記筒状胴部の左右の側面に折り重ねて平坦な頂部が形成され、前記胴部正面パネルに連接する頂面パネルにキャップとスパウトからなる口栓のスパウトが接着された口栓付紙容器であって、前記口栓が接着された頂面パネル及び前記頂面パネルの左右にある前記一対の側面パネルには、前記口栓が接着された頂面パネルを横切り、前記一対の側面パネルの中央まで延びる折り曲げ誘導罫線が前記口栓を跨ぐように設けられていることを特徴とする。
【０００９】
請求項１に記載の発明によれば、前記口栓が接着された頂面パネル及び前記頂面パネルの左右にある前記一対の側面パネルには、前記口栓が接着された頂面パネルを横切り、前記一対の側面パネルの中央まで延びる折り曲げ誘導罫線が前記口栓を跨ぐように設けられているので、紙容器本体からの口栓の取り外しに際しては、先ず、前記筒状胴部の左右の側面に折り重ねてある前記フラップを両側に広げ、頂部を押し潰すようにして一対の頂面パネルを重ね合わせるとともに、前記フラップを形成している一対の側面パネルをそれぞれ中央で縦折りして重ね合わせて平坦にする。この状態で、平坦にした頂部を前記折り曲げ誘導罫線から山折りすることにより、前記折り曲げ誘導罫線で仕切られた前記口栓における前記スパウトの一部を前記頂面パネルから剥離させることができ、この剥離した部分を口栓取り外しのきっかけとし、前記スパウトを頂面パネルから剥離することにより、紙容器本体から口栓を容易に取り外すことができる。
【００１０】
請求項２に記載の発明は、請求項１に記載の、前記一対の側面パネル及び前記一対の側面パネルが連接する前記胴部左右側面パネルには、前記口栓が接着された頂面パネルから前記一対の側面パネルの中程まで延びた前記折り曲げ誘導罫線の端部から垂下して前記第２頂部横折線を跨いで胴部左右側面パネルまで延びる折り曲げ誘導補助罫線が設けられていることを特徴とする。
【００１１】
請求項２に記載の発明によれば、前記一対の側面パネル及び前記一対の側面パネルが連接する前記胴部左右側面パネルには、前記口栓が接着された頂面パネルから前記一対の側面パネルの中程まで延びた前記折り曲げ誘導罫線の端部から垂下して前記第２頂部横折線を跨いで胴部左右側面パネルまで延びる折り曲げ誘導補助罫線が設けられているので、一対の頂面パネルを重ね合わせるとともに、前記フラップを形成している一対の側面パネルをそれぞれ中央で縦折りして重ね合わせて頂部を平坦にする際に、折り曲げ誘導補助罫線が前記一対の側面パネルの中央での縦折りを誘導し、頂部を容易に押し潰すことができる。
【００１２】
請求項３に記載の発明は、請求項１または２に記載の、前記折り曲げ誘導罫線は前記口栓を、前記スパウトの下端から上方に向かって前記スパウトの上下長さの１／４〜１／３の範囲内の位置で跨いでいることを特徴とする。
【００１３】
請求項３に記載の発明によれば、前記折り曲げ誘導罫線は前記口栓を、前記スパウトの下端から上方に向かって前記スパウトの上下長さの１／４〜１／３の範囲内の位置で跨いでいるので、平坦にした頂部を前記折り曲げ誘導罫線から山折りすることにより、前記スパウトの一部を容易に剥離し、紙容器本体から前記口栓を取り外すきっかけを容易に形成することができる。
【発明の効果】
【００１４】
以上のように、本発明に係る口栓付紙容器によれば、紙容器本体から口栓を容易に取り外すことができる。
【図面の簡単な説明】
【００１５】
【図１】本発明に係る口栓付紙容器の実施の形態の一例を示す斜視図である。
【図２】図１に示す口栓付紙容器の紙容器本体を形成するカートンブランクスである。
【図３】図１に示す口栓付紙紙器の紙容器本体から口栓を取り外す工程を示し、筒状胴部の左右の側面に折り重ねてあるフラップを両側に広げた状態を示す説明図である。
【図４】図３の状態から、紙容器本体の頂部を押し潰し平坦にした状態を示す正面図である。
【図５】図４の側面図である。
【図６】図４の状態から、平坦にした頂部を折り曲げ、口栓のスパウトの一部を頂面から剥離させた状態を示す説明図である。
【発明を実施するための形態】
【００１６】
以下、本発明に係る口栓付紙容器の実施の形態の一例を、図面を参照して詳細に説明する。
図１乃至図６は本発明に係る口栓付紙容器の実施の形態の一例を示すものであり、図１は本例の口栓付紙容器の斜視図、図２は図１に示す口栓付紙容器の紙容器本体を形成するカートンブランクス、図３は図１に示す口栓付紙紙器の紙容器本体から口栓を取り外す工程を示し、筒状胴部の左右の側面に折り重ねてあるフラップを両側に広げた状態を示す説明図、図４は図３の状態から、紙容器本体の頂部を押し潰し平坦にした状態を示す正面図、図５は図４の側面図、図６は図４の状態から、平坦にした頂部を折り曲げ、口栓のスパウトの一部を頂面から剥離させた状態を示す説明図である。
【００１７】
本例の口栓付紙容器は、四角の筒状胴部４と平坦な頂部１２を有する紙容器本体１と、紙容器本体１の頂部１２に設けられた口栓２からなり、紙容器本体１は図２に示すカートンブランクス３から成形される。
【００１８】
カートンブランクス３は、四角の筒状胴部４を形成するところの胴部縦折線５，６，７を介して連接している胴部正面パネル８と胴部左右側面パネル９，１０と胴部背面パネル１１とを有し、また、頂部１２を形成するところの胴部正面パネル８及び胴部背面パネル１１に第１頂部横折線１３を介して連接する一対の頂面パネル１４，１５と、胴部左右側面パネル９，１０に第２頂部横折線１６を介して連接する一対の側面パネル１７，１８と、一対の頂面パネル１４，１５に第１トップシール横折線１９を介して連接する一対の第１トップシールパネル２０，２１と、一対の側面パネル１７，１８に第２トップシール横折線２２を介して連接する一対の第２トップシールパネル２３，２４とを有している。
【００１９】
一対の側面パネル１７，１８には第２トップシールパネル横折線２２の中点から第２頂部横折線１６の両端を結ぶ傾斜罫線２５，２６が形成され、第２トップシールパネル２３，２４には第２トップシールパネル２３，２４の上端から垂下して第２トップシールパネル横折線２２の中点に至る側面トップシール縦折線２７が形成されている。
【００２０】
また、胴部正面パネル８に第１頂部横折線１３を介して連接する頂面パネル１４は口栓２が接着される面となっており、口栓２と連通させる開口部２８が形成されている。
【００２１】
頂面パネル１４へ接着される口栓２はキャップ２ａとスパウト２ｂからなり、スパウト２ｂを開口部２８の周囲に溶着により接着する。
【００２２】
開口部２８が形成されている頂面パネル１４及び頂面パネル１４の左右にある一対の側面パネル１７，１８には、口栓２が接着される頂面パネル１４を横切り、一対の側面パネル１７，１８の中央まで延びる折り曲げ誘導罫線２９が、頂面パネル１４に接着して取り付けられる口栓２を跨ぐように設けられている。
【００２３】
折り曲げ誘導罫線２９が口栓２を跨ぐ位置は特に限定されないが、本例では、折り曲げ誘導罫線２９は頂面パネル１４に取り付けられた口栓２を、スパウト２ｂの下端から上方に向かってスパウト２ｂの上下長さの１／４〜１／３の範囲内の位置で跨ぐように設けられている。
また、折り曲げ誘導罫線２９は、口栓２の剥離を容易にするために、図２に示すように、開口部２８を跨ぐ位置に設けられていることが好ましい。
【００２４】
また、本例では、一対の側面パネル１７，１８及び一対の側面パネル１７，１８が連接する胴部左右側面パネル９，１０には、折り曲げ誘導罫線２９の端部から垂下して第２頂部横折線１６を跨いで胴部左右側面パネル９，１０まで延びる折り曲げ誘導補助罫線３０が設けられている。
【００２５】
本例の折り曲げ誘導補助罫線３０は、さらに、折り曲げ誘導罫線２９の端部から第２トップシール横折線２２の中点まで延在するように設けられている。
【００２６】
本例では、紙容器本体１の頂部１２は、側面トップシール縦折線２７を山折りして第１トップシールパネル２０，２１及び第２トップシールパネル２３，２４の対向面を貼り合わせて頂部１２を封止し、傾斜罫線２５，２６を山折りして側面パネル１４，１５から略三角形状のフラップ３１，３２を形成し、フラップ３１，３２を筒状胴部４の左右の側面となる胴部左右側面パネル９，１０に折り重ねて平坦な頂部１２としている。
【００２７】
このように構成された口栓付紙容器の紙容器本体１からの口栓２の取り外しは、次のように行われる。
【００２８】
先ず、図３に示すように、筒状胴部４の左右の側面に折り重ねてあるフラップ３１，３２を両側に広げる。
【００２９】
それから、図４，図５に示すように、一対の頂面パネル１４，１５を重ね合わせるとともに、前記フラップを形成している一対の側面パネルをそれぞれ中央で縦折りして重ね合わせて押し潰し、頂部１２を平坦にする。
【００３０】
本例では、一対の側面パネル１７，１８及び一対の側面パネル１７，１８が連接する胴部左右側面パネル９，１０には、折り曲げ誘導罫線２９の端部から垂下して第２頂部横折線１６を跨いで胴部左右側面パネル９，１０まで延びる折り曲げ誘導補助罫線３０が設けられているので、一対の頂面パネル１４，１５を重ね合わせるとともに、フラップ３１，３２を形成している一対の側面パネル１７，１８をそれぞれ中央で縦折りして重ね合わせて頂部１６を平坦にする際に、折り曲げ誘導補助罫線３０が一対の側面パネル１７，１８の中央での縦折りを誘導し、頂部１２を容易に押し潰すことができる。
さらに、本例の折り曲げ誘導補助罫線３０は、折り曲げ誘導罫線２９の端部から第２トップシール横折線２２の中点まで延在するように設けられているので、一対の側面パネル１７，１８を、その中央でより容易に縦折りすることができ頂部１２をより容易に押し潰すことができる。
【００３１】
次に、このようにして平坦にした頂部１２を、頂面パネル１４を横切り、一対の側面パネル１７，１８の中央まで延び、頂面パネル１４に接着して取り付けられる口栓２を跨ぐように設けられた折り曲げ誘導罫線２９から山折りする。
これにより、折り曲げ誘導罫線２９で仕切られた口栓２におけるスパウト２ｂの一部を頂面パネル１４から剥離させることができ（図６参照。）、この剥離した部分を口栓２の取り外しのきっかけとし、スパウト２ｂを頂面パネル１４から剥離することにより、紙容器本体１から口栓２を容易に取り外すことができる。
【００３２】
本例では、折り曲げ誘導罫線２９は頂面パネル１４に取り付けられた口栓２を、スパウト２ｂの下端から上方に向かってスパウト２ｂの上下長さの１／４〜１／３の範囲内の位置で跨ぐように設けられているので、平坦にした頂部１２を折り曲げ誘導罫線２９から山折りすることにより、スパウト２ｂの一部を容易に剥離し、紙容器本体１から口栓２を取り外すきっかけを容易に形成することができる。
【符号の説明】
【００３３】
１  紙容器本体
２  口栓
２ａ  キャップ
２ｂ  スパウト
３  カートンブランクス
４  筒状胴部
５，６，７  胴部縦折線
８  胴部正面パネル
９  胴部左側面パネル
１０  胴部右側面パネル
１１  胴部背面パネル
１２  頂部
１３  第１頂部横折線
１４，１５  頂面パネル
１６  第２頂部横折線
１７，１８  側面パネル
１９  第１トップシール横折線
２０，２１  第１トップシールパネル
２２  第２トップシール横折線
２３，２４  第２トップシールパネル
２５，２６  傾斜罫線
２７  側面トップシール縦折線
２８  開口部
２９  折り曲げ誘導罫線
３０  折り曲げ誘導補助罫線
３１，３２  フラップ
【図１】
2020158132.tif 000003
【図２】
2020158132.tif 000004
【図３】
2020158132.tif 000005
【図４】
2020158132.tif 000006
【図５】
2020158132.tif 000007
【図６】
2020158132.tif 000008